【手続補正書】
【提出日】平成19年9月14日(2007.9.14)
【手続補正１】
【補正対象書類名】明細書
【補正対象項目名】特許請求の範囲
【補正方法】変更
【補正の内容】
【特許請求の範囲】
【請求項１】  自動車の車室内に配設される自動車用内装材であって、該内装材は車室内からの音を通過させる通気層と、該通気層の車外側に設けられ前記音を吸収する吸音層とからなり、前記通気層は、車室内に表出する表層と、該表層の車外側に設けられ竹繊維と母相樹脂とを含むＦＲＰ層とからなり、前記表層は前記ＦＲＰ層より通気性が高いことを特徴とする自動車用内装材。
【請求項２】  前記通気層は、９８Ｐａの空気を通気させた場合の通気量が１ｍ2あたり１０００ｍ3／ｈ以上２０００ｍ3／ｈ以下であることを特徴とする請求項１に記載の自動車用内装材。
【請求項３】  前記吸音層は前記通気層に点着されている請求項１に記載の自動車用内装材。
【請求項４】  前記吸音層は空気層である請求項１に記載の自動車用内装材。
【請求項５】  前記母相樹脂はポリプロピレンであり、前記ＦＲＰ層は、３０重量％以上５０重量％以下の前記竹繊維と、２０重量％以下の麻繊維と、５０重量％の該ポリプロピレンと、からなる請求項１に記載の自動車用内装材。
【手続補正２】
【補正対象書類名】明細書
【補正対象項目名】０００８
【補正方法】変更
【補正の内容】
【０００８】
【課題を解決するための手段】
上記課題を解決するため、本発明の自動車用内装材は、自動車の車室内に配設される自動車用内装材であって、車室内からの音を通過させる通気層と、通気層の車外側に設けられ前記音を吸収する吸音層とからなり、通気層は、車室内に表出する表層と、この表層の車外側に設けられ竹繊維と母相樹脂とを含むＦＲＰ層とからなり、表層はＦＲＰ層より通気性が高いことを特徴とする。
【手続補正３】
【補正対象書類名】明細書
【補正対象項目名】００１３
【補正方法】変更
【補正の内容】
【００１３】
通気層２を形成する材料は、理論的には厚さ方向につながる空孔を全面にわたって多数有していればよい。この点、繊維分散樹脂（ＦＲＰ）は、繊維間の隙間により通気性を確保でき、また母相樹脂により剛性を確保できるため好適である。
【手続補正４】
【補正対象書類名】明細書
【補正対象項目名】００１４
【補正方法】変更
【補正の内容】
【００１４】
通気層２を車室内に表出する表層と、表層の車外側に設けられ繊維と母相樹脂とを含むＦＲＰ層とから形成し、表層の方がＦＲＰ層よりも通気性が高い構成とする。
【手続補正５】
【補正対象書類名】明細書
【補正対象項目名】００１８
【補正方法】変更
【補正の内容】
【００１８】
ここでＦＲＰ層を形成する繊維としては竹繊維、ガラス繊維、麻繊維、ケナフ繊維などを用いることができるが、少なくとも竹繊維を含むようにする。竹繊維は、繊維径が比較的大きくまた繊維径のばらつきも人工繊維と比較すると大きい。このため竹繊維を用いるとＦＲＰ層の通気性が高くなる。また竹繊維は剛性が高い。このためＦＲＰ層の剛性も高くなる。すなわち竹繊維を用いると高い通気性と高い剛性を併有するＦＲＰ層を得ることができる。なおこの他にも竹は、軽量で、また資源的に豊富であり、さらにリサイクル性にも優れているという特色を持ち好適である。
【手続補正６】
【補正対象書類名】明細書
【補正対象項目名】００３０
【補正方法】変更
【補正の内容】
【００３０】
【実施例】
以下、本発明の自動車用内装材から表層を除いたものについて行った実験に関して、本実施例の欄にて説明する。実験は本発明の自動車用内装材をピラーガーニッシュおよびリアパッケージに使用した場合を想定して行ったものである。したがって測定サンプルは、本発明の自動車用内装材から表層を除いたものと従来からピラーガーニッシュおよびリアパッケージとして使用している自動車用内装材である。また測定項目は吸音効果である。以下に詳述する。
【手続補正７】
【補正対象書類名】明細書
【補正対象項目名】００３１
【補正方法】変更
【補正の内容】
【００３１】
（１）実験に用いたサンプル
〈実験例１〉
このサンプルは通気層と吸音層とからなる。通気層は、５０重量％の竹繊維と５０重量％のＰＰとからなるＦＲＰにより形成した。本サンプルの通気層は、上記組成を有する市販の中間体（商品名Ｔ−ＦＬＥＸ、タイヨーテクノ有限会社製）を縦４００ｍｍ×横４００ｍｍ×厚さ３．０ｍｍとなるように圧縮成形することにより作製した。なお、この通気層の９８Ｐａの空気を通気させた場合の通気量は１ｍ2あたり１３１０ｍ3／ｈであった。
【手続補正８】
【補正対象書類名】明細書
【補正対象項目名】００３３
【補正方法】変更
【補正の内容】
【００３３】
そして、これらの通気層と吸音層とを離間した二点で点溶着することにより接合した。このサンプルが実験例１である。
【手続補正９】
【補正対象書類名】明細書
【補正対象項目名】００３４
【補正方法】変更
【補正の内容】
【００３４】
〈実験例２〉
このサンプルも通気層と吸音層とからなる。通気層の組成と作成方法は実施例１と同様である。一方このサンプルの吸音層はＰＵＲからなる。本サンプルの吸音層は、密度３５ｋｇ／ｍ3のＰＵＲ吸音材を縦４００ｍｍ×横４００ｍｍ×厚さ２０ｍｍに裁断したものである。
【手続補正１０】
【補正対象書類名】明細書
【補正対象項目名】００３５
【補正方法】変更
【補正の内容】
【００３５】
そして、これらの通気層と吸音層とを、実験例１と同様に、離間した二点で点溶着することにより接合した。このサンプルが実験例２である。
【手続補正１１】
【補正対象書類名】明細書
【補正対象項目名】００３６
【補正方法】変更
【補正の内容】
【００３６】
〈実験例３〉
このサンプルも通気層と吸音層とからなる。通気層の組成と作成方法は実験例１と同様である。一方このサンプルの吸音層は厚さ１０ｍｍの空気層である。このサンプルが実験例３である。
【手続補正１２】
【補正対象書類名】明細書
【補正対象項目名】００３７
【補正方法】変更
【補正の内容】
【００３７】
〈実験例４〉
このサンプルも、通気層と吸音層とからなる。通気層の組成と作成方法は実験例１と同様である。一方このサンプルの吸音層は、厚さ２０ｍｍの空気層である。このサンプルが実験例４である。
【手続補正１３】
【補正対象書類名】明細書
【補正対象項目名】００３８
【補正方法】変更
【補正の内容】
【００３８】
〈比較例１〉
このサンプルは通気層のみからなり、吸音層を有しない。通気層の組成と作成方法は実験例１と同様である。このサンプルが比較例１である。
【手続補正１４】
【補正対象書類名】明細書
【補正対象項目名】００４０
【補正方法】変更
【補正の内容】
【００４０】
一方吸音層はＰＥＴからなる。本サンプルの吸音層の作成方法は実施例１と同様である。また通気層と吸音層との接合方法も実験例１と同様である。このサンプルが比較例２−１である。
【手続補正１５】
【補正対象書類名】明細書
【補正対象項目名】００４１
【補正方法】変更
【補正の内容】
【００４１】
〈比較例２−２〉
このサンプルも通気層と吸音層とからなる。通気層の組成と作成方法は比較例２−１と同様である。一方吸音層はＰＵＲからなる。本サンプルの吸音層の作成方法は実験例２と同様である。また通気層と吸音層との接合方法も実験例２と同様である。このサンプルが比較例２−２である。
【手続補正１６】
【補正対象書類名】明細書
【補正対象項目名】００４６
【補正方法】変更
【補正の内容】
【００４６】
一方吸音層はＰＥＴからなる。本サンプルの吸音層の作成方法は実験例１と同様である。また通気層と吸音層との接合方法も実験例１と同様である。このサンプルが比較例３−１である。
【手続補正１７】
【補正対象書類名】明細書
【補正対象項目名】００４７
【補正方法】変更
【補正の内容】
【００４７】
〈比較例３−２〉
このサンプルも通気層と吸音層とからなる。通気層の作成方法は比較例３−１と同様である。一方吸音層はＰＵＲからなる。本サンプルの吸音層の作成方法は実験例２と同様である。また通気層と吸音層との接合方法も実験例２と同様である。このサンプルが比較例３−２である。
【手続補正１８】
【補正対象書類名】明細書
【補正対象項目名】００５２
【補正方法】変更
【補正の内容】
【００５２】
【表１】
2002240647.tif 000001
【手続補正１９】
【補正対象書類名】明細書
【補正対象項目名】００５３
【補正方法】変更
【補正の内容】
【００５３】
（２）実験方法および実験装置
上述した実験例、比較例サンプルに対し、吸音効果を測定する実験を行った。以下、実験方法および実験装置について説明する。
【手続補正２０】
【補正対象書類名】明細書
【補正対象項目名】００５６
【補正方法】変更
【補正の内容】
【００５６】
チャンバー５は、鉄筋モルタル製の建物の中に形成された空洞である。チャンバー５の底面には上述した実験例、比較例のサンプル８が、吸音層を下にして設置されている。なお吸音層として空気層を用いるサンプルについは、通気層が下から支持されており吸音層部分に空間が形成されている。チャンバー５の奥面に形成された凹部５１の中には、スピーカー５０が設置されている。また、チャンバー５の側面に穿設された集音孔５２のチャンバー５外側の開口付近には、マイク６０が設置設されている。マイク６０は分析器６とつながっている。また分析器６はコンピューター７とつながっている。
【手続補正２１】
【補正対象書類名】明細書
【補正対象項目名】００６１
【補正方法】変更
【補正の内容】
【００６１】
（３）実験結果
実験結果のグラフを図４、図５、図６に示す。グラフの横軸は音波の周波数を、縦軸は吸音効果△Ｐを、それぞれ示す。図より、実験例は、広い周波数領域において、比較例よりも吸音効果が高いことが判った。また実験例の中でも、吸音材としてＰＥＴを用いた実験例１とＰＵＲを用いた実験例２とが、特に吸音効果が著しく高いことが判った。
【手続補正２２】
【補正対象書類名】図面
【補正対象項目名】図４
【補正方法】変更
【補正の内容】
【図４】
2002240647.tif 000002